(57)【要約】 【課題】本発明は、６０℃という過酷環境下でも９０ｍの使用が可能な一括シールド付きＬＡＮ用メタルケーブルを提供する。【解決手段】本発明は、使用温度範囲−２０〜６０℃、周囲温度２０℃での減衰量を標準規定値、更に、２０℃以下の場合にのみパーマネントリンク使用長の最大９０ｍ使用を認め、温度が上がり減衰量が増大することから、温度が上がる程、パーマネントリンク長を短くすることを規定しているＬＡＮ用メタルケーブルにおいて、導体の径、絶縁体の厚さ、四組の各対撚線の撚りピッチ及び前記四組の対撚線の集合ピッチの４条件を最適化することにより周囲温度６０℃でも２０℃標準規定値内に減衰量を抑制することで周囲温度６０℃でも９０ｍのパーマネントリンク使用を可能としたＬＡＮ用メタルケーブルの構成とした。【選択図】  図１
2012178243.tif 000002
【特許請求の範囲】
【請求項１】
使用温度範囲−２０〜６０℃、周囲温度２０℃での減衰量を標準規定値、更に、２０℃以下の場合にのみパーマネントリンク使用長の最大９０ｍ使用を認め、温度が上がり減衰量が増大することから、温度が上がる程、パーマネントリンク長を短くすることを規定しているＬＡＮ用メタルケーブルにおいて、
導体の径、絶縁体の厚さ、四組の各対撚線の撚りピッチ及び前記四組の対撚線の集合ピッチの４条件を最適化することにより周囲温度６０℃でも２０℃標準規定値内に減衰量を抑制することで周囲温度６０℃でも９０ｍのパーマネントリンク使用を可能としたＬＡＮ用メタルケーブル。
【請求項２】
絶縁体外径を１．０８ｍｍ未満、かつ、最小対撚りピッチを１２．０以上とし、アルミ箔貼り付けプラスチックテープ又は／及び編組シールドを施したことを特徴とする請求項１に記載のＬＡＮ用メタルケーブル。
【請求項３】
前記導体を、導体径が０．５１０ｍｍ〜０．５７０ｍｍの導体とし、
前記絶縁体を、厚さが０．２０〜０．２７の絶縁体とし、  
前記対撚線を、撚りピッチが１０．０〜２１．０で、且つ四組の各対撚りピッチが異なる対撚線とし、
前記四組の対撚線を、集合ピッチが６０．０〜２００．０で撚り合わせた四組の対撚線としたことを特徴とする請求項１に記載のＬＡＮ用メタルケーブル。
【発明の詳細な説明】
【技術分野】
【０００１】
本発明は、エンハンスドカテゴリー５（Ｃａｔ．５Ｅ）規格に準拠したＬＡＮ用メタルケーブルに関する。
【背景技術】
【０００２】
従来から使用されているＬＡＮケーブルにおいては、高精度なデータ伝送を行うため、減衰量（挿入損失とも称す）や近端漏話減衰量などをはじめとする様々な電気特性が規定されているほか、単線導体ＬＡＮケーブルの最大長は９０ｍと制限されている。
【０００３】
これらの規定は２０℃環境下での規定であり、従来のＬＡＮケーブルを規定値環境の２０℃以上で使用した場合、導体抵抗等が増加するため伝送特性が劣化するという問題があった。
【０００４】
しかしながら、常に規定値の２０℃という環境でＬＡＮケーブルを使用することは難しく、２０℃を超える可能性が高い場合は、使用ケーブル長を９０ｍよりも短くすることで使用を認めていた。
【０００５】
例えば、減衰量（挿入損失とも称す）は、温度上昇とケーブル長さに比例することから、温度上昇による増加分をケーブルの長さを短くすることで補っていた。
【０００６】
即ち、ＬＡＮ配線システムの使用温度範囲−２０℃〜６０℃において、２０℃環境では最大９０ｍの単線導体ＬＡＮケーブルを使用できるのに対して、６０℃環境では、シールド付きケーブルの場合、最大８２．８ｍまでしか使用できず、非シールドケーブルの場合は、最大７２ｍまでしか使用できないため、それぞれ長さを減じて使用することとなっていた。
【先行技術文献】
【特許文献】
【０００７】
【特許文献１】特開２００６−２９４５９０号公報
【発明の概要】
【発明が解決しようとする課題】
【０００８】
そこで、本発明は、２０℃〜６０℃という４０℃の温度変化領域でも９０ｍの使用が可能な一括シールド付きＬＡＮ用メタルケーブルを提供する。
【課題を解決するための手段】
【０００９】
本発明は、上記の課題を解決するために、使用温度範囲−２０〜６０℃、周囲温度２０℃での減衰量を標準規定値、更に、２０℃以下の場合にのみパーマネントリンク使用長の最大９０ｍ使用を認め、温度が上がり減衰量が増大することから、温度が上がる程、パーマネントリンク長を短くすることを規定しているＬＡＮ用メタルケーブルにおいて、導体の径、絶縁体の厚さ、四組の各対撚線の撚りピッチ及び前記四組の対撚線の集合ピッチの４条件を最適化することにより周囲温度６０℃でも２０℃標準規定値内に減衰量を抑制することで周囲温度２０℃〜６０℃でも９０ｍのパーマネントリンク使用を可能としたＬＡＮ用メタルケーブルの構成とした。
【００１０】
また、絶縁体外径を１．０８ｍｍ未満、かつ、最小対撚りピッチを１２．０以上とし、アルミ箔貼り付けプラスチックテープ又は／及び編組シールドを施したことを特徴とするＬＡＮ用メタルケーブルの構成とした。
【００１１】
更に、前記導体を、導体径が０．５１０ｍｍ〜０．５７０ｍｍの導体とし、前記絶縁体を、厚さが０．２０〜０．２７の絶縁体とし、前記対撚線を、撚りピッチが１０．０〜２１．０で、且つ四組の各対撚りピッチが異なる対撚線とし、前記四組の対撚線を、集合ピッチが６０．０〜２００．０で撚り合わせた四組の対撚線としたことを特徴とするＬＡＮ用メタルケーブルの構成とした。
【発明の効果】
【００１２】
本発明は上記のような構成であるため、規定温度２０℃を遙かに超える６０℃環境においてもケーブル長を短くすることなく、最大長の９０ｍでＬＡＮケーブルを使用することができる。
【００１３】
また、上記のように常に最大長である９０ｍでＬＡＮケーブルを敷設することができるため、従来よりも敷設コストを下げることが出来る。
【００１４】
さらに、減衰量（挿入損失とも称す）を抑制する為に施したシールドは、ケーブル内部から外部へのノイズの流出や外部から内部へのノイズの侵入を抑制できる。
【００１５】
その上、二重シールドを施したことにより、広い周波数成分のノイズの流出入を抑制できる。
【図面の簡単な説明】
【００１６】
【図１】本発明であるＬＡＮ用メタルケーブルの断面図である。
【図２】本発明であるＬＡＮ用メタルケーブルの周囲温度別最大減衰量を示すグラフである。
【図３】＜ＪＩＳ  Ｘ  ５１５０：２００４＞規定の周囲温度別最大リンク長を示した表である。
【図４】各種ＬＡＮ用メタルケーブルの周囲温度６０℃での減衰量を示す表及びグラフである。
【発明を実施するための形態】
【００１７】
以下、添付の図面を参照し、本発明の実施の形態について詳細に説明する。
【実施例１】
【００１８】
図１は、本発明であるＬＡＮ用メタルケーブルの断面図、図２はＬＡＮ用メタルケーブルの周囲温度別最大減衰量を示すグラフ、図３は＜ＪＩＳ  Ｘ  ５１５０：２００４＞規定の周囲温度別最大リンク長を示した表、図４は各種ＬＡＮ用メタルケーブルの周囲温度６０℃での減衰量を示す表及びグラフである。
【００１９】
図１に示すように、本発明であるＬＡＮ用メタルケーブル１は、絶縁体６ｂで被覆した単線導体６ａからなる絶縁心線６を二本撚り合わせてなる四組の対撚線２、３、４、５と、前記対撚線２、３、４、５を撚り合わせて一括被覆する内部シース７と、前記内部シース７の外表面を被覆する第一シールド８と、前記第一シールド８の外表面を被覆する第二シールド９と、前記第二シールド９を被覆するシース１０からなる。
【００２０】
前記各対撚線２、３、４、５を構成する二本の絶縁心線６、６の撚りピッチは、各々の対撚線２、３、４、５で異なる。
【００２１】
前記対撚線２、３、４、５の絶縁心線６、６の撚りピッチは１０．〜２１．０ｍｍの範囲で１２．０ｍｍ以上であることが好適である。
【００２２】
前記単線導体６ａの径は０．５１０〜０．５７０ｍｍであり、前記絶縁体６ｂの厚さは０．２０〜０．２７ｍｍである。また、前記単線導体６ａを絶縁体６ｂで被覆してなる絶縁心線６の外径は１．０８ｍｍ未満である。
【００２３】
前記内部シースまたは押さえ巻きテープ７は素材としてはプラスチックテープが好適であるが、特に限定したものではない。
【００２４】
前記第一シールド８は、アルミ箔貼り付けプラスチックテープであることが好適であり、前記第二シールド９は、編組シールドであることが好適である。また、前記シース１０は難燃、耐油タイプの鉛フリーＰＶＣシースであることが好適である。但し、これらについても特に限定したものではない。
【００２５】
前記対撚線２、３、４、５を撚り合わせた際の集合ピッチは６０．０〜２００．０ｍｍである。
【００２６】
以上の範囲内で図１に示したＬＡＮ用メタルケーブルを構成した結果、図２に示すように、周波数１ＭＨｚでは、周囲温度が２０℃で１．８５、４０℃で１．９７、６０℃で２．００であり、いずれの数値もカテゴリー５Ｅの２０℃の既定値２．０４を下回っている。また、周波数１０ＭＨｚでは、周囲温度が２０℃で５．３７、４０℃で５．５７、６０℃で５．７５であり、いずれの数値もカテゴリー５Ｅの２０℃の既定値６．４７を下回っている。更に、周波数１００ＭＨｚでは、周囲温度が２０℃で１７．１４、４０℃で１７．７１、６０℃で１８．３０であり、いずれの数値もエンハンスドカテゴリー５の２０℃の既定値２１．９８を下回っている。
【００２７】
即ち、上記の範囲内の構成からなるＬＡＮ用メタルケーブル１では、周囲温度が６０℃となった場合であっても、エンハンスドカテゴリー５の２０℃の既定値内にあるため、最大ケーブル長９０ｍで使用可能であることがわかる。
【００２８】
図３は、＜ＪＩＳ  Ｘ  ５１５０：２００４＞規定の周囲温度別最大リンク長を示した表である。図３に示すように、非シールドケーブルでは、周囲環境２０℃で９０ｍ使用可能なＬＡＮケーブルであっても、周囲温度が上昇するにつれて減衰量が増加するため６０℃まで上昇した場合、減衰量の増加率は１．２４％となり、１８．０ｍの減長の結果、最大リンク長が７２．０ｍとなる。
【００２９】
また、シールド付きケーブルであっても、周囲温度の上昇に伴い減衰量は増加するため非シールドケーブル程まで減長する必要はないとしても、図３に示すように周囲環境が６０℃まで上昇した場合、減衰量の増加率は１．０８％となり、７．２ｍの減長の結果、最大リンク長は８２．８ｍとなる。
【００３０】
図４は、エンハンスドカテゴリー５の規格値（２０℃）と周囲温度６０℃での本発明（以下、本品）、前記シールド付きケーブル（以下、現行品）及び前記非シールドケーブル（以下、非シールド品）の減衰量を示す表及びグラフである。
【００３１】
図４に示すように、周囲環境６０℃の周波数１ＭＨｚにおいては、本品は２．００、現行品は２．１３、非シールド品は２．０７となり、本品だけがエンハンスドカテゴリー５（２０℃）の規定値２．０４を満たした。
【００３２】
また、周囲環境６０℃の周波数１０ＭＨｚにおいては、本品は５．７５、現行品は６．３４、非シールド品は６．７１となり、本品はエンハンスドカテゴリー５（２０℃）の規定値６．４７を満たし、更に周囲環境６０℃の周波数１００ＭＨｚにおいては、本品は１８．３０、現行品は２０．１５、非シールド品は２２．８６となり、本品はエンハンスドカテゴリー５（２０℃）の規定値２１．９８を満たした。
【００３３】
以上のように、本品は周囲環境が６０℃のときに１ＭＨｚ〜１００Ｍｈｚの帯域全てにおいてエンハンスドカテゴリー５（２０℃）の規定値内に収まることができた。従って、本品は周囲環境が６０℃まで上昇してもケーブル長を減長する必要が無く、エンハンスドカテゴリー５（２０℃）の規定値で使用可能な９０ｍで使用することができる。
【００３４】
以上より、本発明である過酷環境でも使用可能な一括シールド付きＬＡＮ用メタルケーブルは、使用温度範囲−２０〜６０℃、周囲温度２０℃での減衰量を標準規定値、更に、２０℃以下の場合にのみパーマネントリンク使用長の最大９０ｍ使用を認め、温度が上がり減衰量が増大することから、温度が上がる程、パーマネントリンク長を短くすることを規定しているＬＡＮ用メタルケーブルにおいて、導体の径、絶縁体の厚さ、四組の各対撚線の撚りピッチ及び前記四組の対撚線の集合ピッチの４条件を最適化することにより周囲温度６０℃でも２０℃標準規定値内に減衰量を抑制することで周囲温度６０℃でも９０ｍのパーマネントリンク使用を可能とした。
【００３５】
また、前記絶縁体の外径を１．０８ｍｍ未満、かつ、最小対撚りピッチを１２．０ｍｍ以上とし、アルミ箔貼り付けプラスチックテープ又は／及び編組シールドを施したことを特徴とするLAN用メタルケーブルである。
【００３６】
更に、前記導体６ａを、導体径が０．５１０ｍｍ〜０．５７０ｍｍの導体とし、前記絶縁体６ｂを、厚さが０．２０〜０．２７の絶縁体とし、前記対撚線２、６、４、５を、撚りピッチが１０．０〜２１．０で、且つ四組の各対撚りピッチが異なる対撚線とし、前記四組の対撚線２、３、４、５を、集合ピッチが６０．０〜２００．０で撚り合わせた四組の対撚線としたことを特徴とするＬＡＮ用メタルケーブルである。
【産業上の利用可能性】
【００３７】
本発明であるＬＡＮ用メタルケーブルは、規定値を遙かに超える６０℃環境下においてもケーブル長を短くすることなく、最大ケーブル長の９０ｍで敷設することができるため、温度変化を気にすることがなく、ＬＡＮ配線をする多くの領域に多大な貢献をもたらす。
【符号の説明】
【００３８】
１    ＬＡＮ用メタルケーブル
２    対撚線
３    対撚線
４    対撚線
５    対撚線
６    絶縁心線
６ａ  単線導体
６ｂ  絶縁体
７    内部シースまたは押さえ巻きテープ
８    第一シールド
９    第二シールド
１０  シース
【図１】
2012178243.tif 000003
【図２】
2012178243.tif 000004
【図３】
2012178243.tif 000005
【図４】
2012178243.tif 000006